(57)【特許請求の範囲】
【請求項１】
カフ帯を血圧計本体に対して着脱自在に取付けると共に、前記カフ帯を収納するカフ帯収納部を血圧計本体に対して着脱自在に取付けてなる血圧計であって、カフ帯収納部の前面の下部に上部よりも前方に突出した凸段部を形成して該凸段部の前面に係止用フックからなる装着部を形成し、血圧計本体の背面の下部に上部よりも前方に凹んだ凹段部を形成して該凹段部の背面に係止用フックからなる被装着部を形成し、装着部を被装着部に装着して成ることを特徴とする血圧計。
【請求項２】
カフ帯収納部に把持部を形成して成ることを特徴とする請求項１記載の血圧計。
【発明の詳細な説明】
【０００１】
【発明の属する技術分野】
本発明は、血圧計のカフ帯を収納するカフ帯収納部に関するものである。
【０００２】
【従来の技術】
従来より、カフ帯を備えた血圧計は、血圧計本体２’にカフ帯収納部３’を一体に設けたものがよく用いられていた。これは、図３に示すように、血圧測定時にはカフ帯１を腕に巻き付けて使用し、血圧計を使用しない時には、血圧計本体２’に一体に設けてあるカフ帯収納部３’にカフ帯１を収納しておくものである。
【０００３】
しかしながら、このものにあっては、血圧計を収納しようとする場合、血圧計本体２’にカフ帯収納部３’を一体に設けてあるため血圧計が必要以上に大きくなって収納場所を大きく取ってしまい、収納場所を大きく取ることができる使用者には差し支えないものの、収納場所を大きく取ることができずに血圧計本体２’とカフ帯１とを別々に収納しようとする使用者には不便なものであった。
【０００４】
【発明が解決しようとする課題】
本発明は上記の点に鑑みてなされたものであり、その目的とするところは、血圧計の収納場所の事情等によって、使用者が適宜カフ帯収納部を血圧計本体に着脱することができる血圧計を提供することを課題とするものである。
【０００５】
【課題を解決するための手段】
上記課題を解決するために本発明に係る血圧計は、カフ帯１を血圧計本体２に対して着脱自在に取付けると共に、前記カフ帯１を収納するカフ帯収納部３を血圧計本体２に対して着脱自在に取付けてなる血圧計であって、カフ帯収納部３の前面３ａの下部に上部よりも前方に突出した凸段部３１を形成して該凸段部３１の前面３１ａに係止用フック８ｄからなる装着部８を形成し、血圧計本体２の背面２ａの下部に上部よりも前方に凹んだ凹段部２１を形成して該凹段部２１の背面２１ａに係止フック９ｄからなる被装着部９を形成し、装着部８を被装着部９に装着して成ることを特徴とするものである。このような構成とすることで、血圧計を収納する際、収納場所を大きく取ることができずにカフ帯１と血圧計本体２とを別々に収納する場合には、カフ帯収納部３を血圧計本体２より取外して血圧計本体２とカフ帯１を収納したカフ帯収納部３とを別々に収納にすることが可能となり、また、収納場所を大きく取ることができる場合には、カフ帯収納部３を血圧計本体２に取付けたままカフ帯１をカフ帯収納部３に収納して、この血圧計を収納することが可能となる。
【０００６】
また、カフ帯収納部３に把持部７を形成することが好ましい。このような構成とすることで、カフ帯収納部３を掴み易くなって、容易にカフ帯収納部３を持ち運ぶことが可能となる。
【０００７】
【発明の実施の形態】
以下、本発明の一実施形態について、図１、図２に基づいて説明する。
【０００８】
血圧計は、腕に巻き付けて阻血するカフ帯１と、血圧を計測するための機器が収納された血圧計本体２と、カフ帯１が収納されるカフ帯収納部３とで構成される。
【０００９】
血圧計本体２は、図１に示すように、大略転倒した三角柱状のボックス形状のもので、後述する操作部２２及び表示部２３が形成される上面が前方ほど下方に傾斜する傾斜面となるように形成してある。
【００１０】
血圧計本体２の内部には、図示はしないが、腕を圧迫するため腕に巻き付けられたカフ帯１に空気を送り込んで膨張させる空気ポンプと、血圧計測時においてカフ帯１に充填された空気を徐々に排気するための徐々排気弁と、血圧計測後や計測を行っていない時にカフ帯１に充填された空気を大気圧に解放するための急速排気弁等が収納され、これらを操作するための操作部２２及び、計測した血圧値を表示するための表示部２３が上面に設けてある。また、血圧計本体２には、後述するカフ帯収納部３の装着部８が装着される被装着部９が設けてあると共に、血圧計本体２の表面には、上記空気ポンプから空気が送られて且つカフ帯１の接続部（図示せず）が接続される被接続部（図示せず）が設けてある。
【００１１】
カフ帯１は、図２に示すように、気嚢（図示せず）を内包する腕帯１１と、管部１２と、管部の先端に形成される接続部（図示せず）とからなるものである。腕帯１１は、腕に巻き付けられた際、膨張して腕を圧迫することで腕の血流を阻血する気嚢を内包するものである。気嚢には、内圧を計測する圧力センサー（図示せず）が設けてあると共に、この気嚢に空気を送り込むための管部１２の一端部が接続してある。そして、管部１２の他端部には、血圧計本体２の被接続部に接続する接続部が設けてある。接続部はプラグ状に形成してあると共に、血圧計本体２の被接続部はソケット状に形成してあり、接続部を被接続部に嵌入して接続するものである。
【００１２】
ここで、血圧の計測について説明する。血圧を計測するには、まず、カフ帯１の接続部を血圧計本体２の被接続部に接続し、腕帯１１を腕の計測部位に巻き付ける。次に、血圧計本体２の操作部２２を操作し、計測を開始する。計測が始まると、血圧計本体２の空気ポンプより接続部，管部１２を介して気嚢に空気が送り込まれ、気嚢が膨張して腕を圧迫することで腕の血流が阻血される。そして、気嚢に充填された空気を徐々排気弁にて徐々に排気して降圧し、気嚢の内圧の変化を圧力センサーで検出して血圧を算出し、血圧値を表示部２３に表示するものである。血圧値が表示されると、気嚢の空気は急速排気弁にて排気され、腕に巻き付けてあるカフ帯１を取外して計測が終了する。
【００１３】
計測が終了すると、カフ帯１を血圧計本体２より取外して収納するのであるが、本発明は、この取外したカフ帯１を収納するためのカフ帯収納部３を血圧計本体２に着脱自在に取付けるものである。
【００１４】
カフ帯収納部３は、側面視略Ｕ字状をしたもので、略Ｕ字の中３０にカフ帯１が収納される。カフ帯収納部３の前面３ａの下部には、この前面３ａの上部よりも前方に突出した凸段部３１が形成してある。凸段部３１の前面３１ａには、装着部８としての係止用フック８ｄが２個形成してある。２個の係止用フック８ｄは、凸段部３１の前面３１ａより前方に突設された基部と、基部の前方側端部より（上側の係止用フック８ｄは下方に、下側の係止用フック８ｄは上方に）それぞれ連設された連設片とからなる平面視略Ｌ字状をしたものである。
【００１５】
また、血圧計本体２の背面２ａの下部には、この背面２ａの上部よりも前方に凹んだ凹段部２１が形成してあると共に、凹段部２１の背面２１ａには被装着部９としての係止用フック９ｄが２個形成してある。２個の係止用フック９ｄは、凹段部２１の背面２１ａより背方に突設された基部と、基部の背方側端部より（上側の係止用フック９ｄは上方に、下側の係止用フック９ｄは下方に）それぞれ連設された連設片とからなる平面視略Ｌ字状をしたものである。
【００１６】
このカフ帯収納部３を血圧計本体２に取付けるには、カフ帯収納部３の凸段部３１に設けた２個の係止用フック８ｄを血圧計本体２の凹段部２１に設けた２個の係止用フック９ｄにそれぞれ係止することで行うものである。
【００１７】
以上、図１に示すような装着部８及び被装着部９にて、カフ帯収納部３を血圧計本体２に着脱自在に取付けることができる。
【００１８】
以上のような構成によれば、カフ帯収納部３を血圧計本体２に対して着脱自在に取付けてあることで、血圧計を収納する際、収納場所を大きく取ることができずにカフ帯１と血圧計本体２とを別々に収納する場合には、カフ帯収納部３を血圧計本体２より取外して血圧計本体２とカフ帯１を収納したカフ帯収納部３とを別々に収納にすることが可能となり、また、収納場所を大きく取ることができる場合には、カフ帯収納部３を血圧計本体２に取付けたままカフ帯１をカフ帯収納部３に収納して、この血圧計を収納することもできる。
【００１９】
次に、他の実施形態について説明する。本実施形態は、図１に示す実施形態に加えて、カフ帯収納部３に把持部（図示せず）を形成したものである。
【００２０】
これは、カフ帯収納部３の側面視略Ｕ字状をした前面３ａの上部に貫通穴（図示せず）を穿孔したり、あるいは、カフ帯収納部３の側面視略Ｕ字状をした前面３ａの上部両側に直線状の長板部（図示せず）を突設したり、あるいは、カフ帯収納部３の側面視略Ｕ字状をした前面３ａの上部両側に屈曲した長板部（図示せず）を突設したものである。
【００２１】
以上のような構成によれば、カフ帯収納部３に把持部を形成したことで、カフ帯収納部３を掴み易くなって、容易にカフ帯収納部３を持ち運ぶことが可能となる。
【００２２】
【発明の効果】
上記のように本発明の請求項１記載の発明にあっては、カフ帯を血圧計本体に対して着脱自在に取付けると共に、前記カフ帯を収納するカフ帯収納部を血圧計本体に対して着脱自在に取付けてなる血圧計であって、カフ帯収納部の前面の下部に上部よりも前方に突出した凸段部を形成して該凸段部の前面に係止用フックからなる装着部を形成し、血圧計本体の背面の下部に上部よりも前方に凹んだ凹段部を形成して該凹段部の背面に係止用フックからなる被装着部を形成し、装着部を被装着部に装着してたので、血圧計を収納する際、収納場所を大きく取ることができずに血圧計本体とカフ帯とを別々に収納する場合には、カフ帯収納部を血圧計本体より取外して血圧計本体とカフ帯を収納したカフ帯収納部とを別々に収納にすることが可能となり、また、収納場所を大きく取ることができる場合には、カフ帯収納部を血圧計本体に取付けたままカフ帯をカフ帯収納部に収納してこの血圧計を収納することが可能となるものである。
【００２３】
また請求項２記載の発明にあっては、上記請求項１記載の発明の効果に加えて、カフ帯収納部に把持部を形成したので、カフ帯収納部を掴み易くなって、容易にカフ帯収納部を持ち運ぶことが可能となる。
【図面の簡単な説明】
【図１】  本発明の一実施形態の側断面図である。
【図２】  本発明の血圧計の斜視図である。
【図３】  従来例の血圧計の斜視図である。
【符号の説明】
１  カフ帯
２  血圧計本体
３  カフ帯収納部
【図１】
0003687571.tif 000002
【図２】
0003687571.tif 000003
【図３】
0003687571.tif 000004